(57)【特許請求の範囲】
【請求項１】
各種の生木を燃料として燃焼する薪ストーブ本体部と、該薪ストーブ本体部を被包しかつ所定空間を有して配置すると共に裾部に熱風を吐出する熱風吐出孔を設けた外ケースと、該外ケースの上面に載置した金属製枠台と、該金属製枠台に隣接位置に配置されかつ該金属製枠台に固定した支持棒により吊下げられる斜流ダクトファン部、これに連結されると共に前記外ケースの上面に連結された吸入ダクト部及び該斜流ダクトファン部に収容されたファンモータでなる吸入装置と、前記薪ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなることを特徴とした薪ストーブ。
【請求項２】
各種の生木を燃料として燃焼する薪ストーブ本体部と、該薪ストーブ本体部を被包しかつ所定空間を有して配置すると共に裾部に熱風を吐出する熱風吐出孔を設けた外ケースと、該外ケースの上面に載置した金属製枠台と、該金属製枠台に隣接位置に配置されかつ該金属製枠台に固定した支持棒により吊下げられる斜流ダクトファン部、これに連結されると共に前記外ケースの上面に連結された吸入ダクト部及び該斜流ダクトファン部に収容されたファンモータでなる吸入装置と、前記外ケースの上面から取出されかつ薪ストーブ本体部の燃焼室に連通して燃焼ガス量を制御するダンパーを介設した排気管と、前記薪ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなることを特徴とした薪ストーブ。
【請求項３】
各種の生木を燃料として燃焼する薪ストーブ本体部と、該薪ストーブ本体部を被包しかつ所定空間を有して配置して裾部に熱風を吐出する熱風吐出孔を設けた外ケースと、該外ケースの上面に載置した金属製枠台と、該外ケースに固定された高さ調整用緊締部品に係止・開放すると共に前記金属製枠台の脚部に穿孔された調整用孔と、該外ケースから前記薪ストーブ本体部に流送する熱風量を制御する熱風導入バルブと、該金属製枠台に隣接位置に配置されかつ該金属製枠台に固定した支持棒により吊下げられる斜流ダクトファン部、これに連結されると共に前記外ケースの上面に連結された吸入ダクト部及び収容されたファンモータでなる吸入装置と、前記薪ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなることを特徴とする薪ストーブ。
【請求項４】
前記ファンモータの回動を制御するモータ駆動用スイッチ及び温度調節器のスイッチをＡＣ電源に接続すると共に前記外ケースに固定したことを特徴とする請求項１、２、又は３記載の薪ストーブ。
【請求項５】
前記外ケースの側面に傾倒防止部材を固定したことを特徴とする請求項１、２、又は３記載の薪ストーブ。
【発明の詳細な説明】
【技術分野】
【０００１】
本発明は、燃焼させることが困難な杉や松などの針葉樹の生木を薪として燃焼可能とした薪ストーブに関するものである。
【背景技術】
【０００２】
従来この種の技術に於けるハウス内植物栽培装置及び植物栽培方法の例としては図９及び図１０に示す登録第３０４５４４２号に係る登録実用新案公報に開示された技術がある。
これについて説明すれば、１は温風暖房機であって温風暖房機１の直下方向に吹出口２を設け、これに接続する温風ダクト３を埋設配管してある。温風暖房機１はその上部に送風扇４を備え、温風暖房機１が発生する温風を前記温風ダクト３に流送する。例えば間口１８ｍ、奥行５４ｍの温室において、作業室のスペース間口１８ｍ、奥行９ｍを兼ね備えた温室（図示せず）の内部の片側妻面付近に温風暖房機１を設置し、温風暖房機１の直下方向に吹出口２を設け、温風ダクト３を温室内のグラウンド表面５より下方の土中６に埋設し、分岐継手７により図１０に示すように途中６本に枝分けして温室奥行１０ｍ付近に立ち上がり枝管を立ち上げおのおのの高架ベンチ下に吐出ダクト８を設け暖房することにより作業室スペースがフルに利用できる。
【先行技術文献】
【特許文献】
【０００３】
【特許文献１】登録第３０４５４４２号登録実用新案公報
【発明の概要】
【発明が解決しようとする課題】
【０００４】
従来の技術は叙上した構成であるので次の課題が存在した。
すなわち、温風暖房機１はグラウンド表面５に設置されると共にその直下方向に吹出口２やこれに連続する温風ダクト３を土中６に埋設するため該土中６を掘削するための作業が要求される。従って温風暖房機１をグラウンド表面５に設置するための工事が大規模になるばかりかその費用が莫大に嵩み設置工期が長期化するという問題点があった。また、温風暖房機１から排出される温風は土中６に埋設された温風ダクト３を経由して吐出ダクト８まで流送され、そこで温風の流送圧を高める必要があり温風暖房機１や送風扇４を大型化するか小規模な農業用温室に限定されるという問題点があった。
本発明が解決しようとする課題は、上記背景技術に存在する問題点を解決することにある。
【課題を解決するための手段】
【０００５】
本発明に係る薪ストーブは、森林又は人工林から伐採した杉や松等の針葉樹の間伐材を生木のままで薪として燃焼させることができ、処分が困難な前記間伐材等の木材資源を有効活用する薪ストーブを実現すると共に薪ストーブを圃場に於けるハウス内に設置したハウス内植物栽培方法を提供して叙上の問題点を解決すべく発明したものであって、次の構成手段から成立する。
【０００６】
すなわち請求項１記載の発明によれば、各種の生木を燃料として燃焼する薪ストーブ本体部と、該薪ストーブ本体部を被包しかつ所定空間を有して配置すると共に裾部に熱風を吐出する熱風吐出孔を設けた外ケースと、該外ケースの上面に載置した金属製枠台と、該金属製枠台に隣接位置に配置されかつ該金属製枠台に固定した支持棒により吊下げられる斜流ダクトファン部、これに連結されると共に前記外ケースの上面に連結された吸入ダクト部及び該斜流ダクトファン部に収容されたファンモータでなる吸入装置と、前記薪ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなることを特徴とする。
【０００７】
請求項２記載の発明によれば、各種の生木を燃料として燃焼する薪ストーブ本体部と、該薪ストーブ本体部を被包しかつ所定空間を有して配置すると共に裾部に熱風を吐出する熱風吐出孔を設けた外ケースと、該外ケースの上面に載置した金属製枠台と、該金属製枠台に隣接位置に配置されかつ該金属製枠台に固定した支持棒により吊下げられる斜流ダクトファン部、これに連結されると共に前記外ケースの上面に連結された吸入ダクト部及び該斜流ダクトファン部に収容されたファンモータでなる吸入装置と、前記外ケースの上面から取出されかつ薪ストーブ本体部の燃焼室に連通して燃焼ガス量を制御するダンパーを介設した排気管と、前記薪ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなることを特徴とする。
【０００８】
請求項３記載の発明によれば、各種の生木を燃料として燃焼する薪ストーブ本体部と、該薪ストーブ本体部を被包しかつ所定空間を有して配置して裾部に熱風を吐出する熱風吐出孔を設けた外ケースと、該外ケースの上面に載置した金属製枠台と、該外ケースに固定された高さ調整用緊締部品に係止・開放すると共に前記金属製枠台の脚部に穿孔された調整用孔と、該外ケースから前記薪ストーブ本体部に流送する熱風量を制御する熱風導入バルブと、該金属製枠台に隣接位置に配置されかつ該金属製枠台に固定した支持棒により吊下げられる斜流ダクトファン部、これに連結されると共に前記外ケースの上面に連結された吸入ダクト部及び収容されたファンモータでなる吸入装置と、前記薪ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなることを特徴とする。
【０００９】
請求項４記載の発明によれば、前記請求項１、２、又は３記載の発明に於いて、前記ファンモータの回動を制御するモータ駆動用スイッチ及び温度調節器のスイッチをＡＣ電源に接続すると共に前記外ケースに固定したことを特徴とする。
【００１０】
請求項５記載の発明によれば、前記請求項１、２、又は３記載の発明に於いて、前記外ケースの側面に傾倒防止部材を固定したことを特徴とする。
【発明の効果】
【００１１】
本発明に係る薪ストーブは叙上の構成を有するので次の効果がある。
すなわち請求項１記載の発明によれば、各種の生木を燃料として燃焼する薪ストーブ本体部と、該薪ストーブ本体部を被包しかつ所定空間を有して配置すると共に裾部に熱風を吐出する熱風吐出孔を設けた外ケースと、該外ケースの上面に載置した金属製枠台と、該金属製枠台に隣接位置に配置されかつ該金属製枠台に固定した支持棒により吊下げられる斜流ダクトファン部、これに連結されると共に前記外ケースの上面に連結された吸入ダクト部及び該斜流ダクトファン部に収容されたファンモータでなる吸入装置と、前記薪ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなることを特徴とした薪ストーブを提供する。
このような構成としたので、本発明によれば乾燥させた木材等に代えて各種の生木を燃料とし伐採後の木材を薪ストーブの燃料に迅速に利用できるという効果がある。また、薪ストーブ本体部の上部から吸入装置により吸入空気を薪ストーブ本体部と外ケースとの間に取込んで熱風吐出孔から多量の熱風を排出し活用できるという効果がある。特に薪ストーブ本体部の上面に設けた略山形状屋根板により吸入空気が薪ストーブ本体部の上面に直接接触することなく薪ストーブ本体部と外ケースとの間に円滑に流送させて流過ロスを少なくし合理的に外部に排出できるので薪ストーブ本体部から発散する熱量を有効活用できるという効果がある。また、略山形状屋根板のサーモセンサを適切に動作させることによりファンモータを保護しかつ該ファンモータを円滑に制御できるという効果がある。さらに、本発明装置は概して薪ストーブ本体部とこれを被包する外ケースを備えることで簡単な構成をもって各種の機能を実現でき量産性が高いという効果がある。
【００１２】
請求項２記載の発明によれば、各種の生木を燃料として燃焼する薪ストーブ本体部と、該薪ストーブ本体部を被包しかつ所定空間を有して配置すると共に裾部に熱風を吐出する熱風吐出孔を設けた外ケースと、該外ケースの上面に載置した金属製枠台と、該金属製枠台に隣接位置に配置されかつ該金属製枠台に固定した支持棒により吊下げられる斜流ダクトファン部、これに連結されると共に前記外ケースの上面に連結された吸入ダクト部及び該斜流ダクトファン部に収容されたファンモータでなる吸入装置と、前記外ケースの上面から取出されかつ薪ストーブ本体部の燃焼室に連通して燃焼ガス量を制御するダンパーを介設した排気管と、前記薪ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなることを特徴とした薪ストーブを提供する。
このような構成としたので、請求項１記載の発明の効果に加えて外ケースの上面に固定された排気管により薪ストーブ本体部の燃焼室に発生する燃焼ガス量を制御することができ燃焼室内を常に燃焼効率を高めるような環境条件に設定でき薪ストーブを円滑に少ない燃料で動作させるという効果がある。
【００１３】
請求項３記載の発明によれば、各種の生木を燃料として燃焼する薪ストーブ本体部と、該薪ストーブ本体部を被包しかつ所定空間を有して配置して裾部に熱風を吐出する熱風吐出孔を設けた外ケースと、該外ケースの上面に載置した金属製枠台と、該外ケースに固定された高さ調整用緊締部品に係止・開放すると共に前記金属製枠台の脚部に穿孔された調整用孔と、該外ケースから前記薪ストーブ本体部に流送する熱風量を制御する熱風導入バルブと、該金属製枠台に隣接位置に配置されかつ該金属製枠台に固定した支持棒により吊下げられる斜流ダクトファン部、これに連結されると共に前記外ケースの上面に連結された吸入ダクト部及び収容されたファンモータでなる吸入装置と、前記薪ストーブ本体部の上面に固定した略山形状屋根板と、該略山形状屋根板に固定されたサーモセンサと、該サーモセンサからの信号で前記ファンモータの駆動を制御しかつ前記外ケースに固定した温度調節器とでなることを特徴とする薪ストーブを提供する。
このような構成としたので、請求項１記載の発明の効果に加えて金属性枠台の高さを適宜調整して斜流ダクト部の高さを好適条件に設定でき吸入空気の取入れ方向を適宜変更させると共にその吸入空気量を制御できるので熱風排出量を合理的に設定できるという効果がある。さらに、熱風導入バルブにより吸入装置から流送された空気又は薪ストーブ本体部で発生した熱風を適宜制御して薪ストーブ本体部の燃焼室に取入れることができ薪ストーブ本体部の燃焼効率を大幅に増進することができるという効果がある。
【００１４】
請求項４記載の発明によれば、前記ファンモータの回動を制御するモータ駆動用スイッチ及び温度調節器のスイッチをＡＣ電源に接続すると共に前記外ケースに固定したことを特徴とする請求項１、２、又は３記載の薪ストーブを提供する。
このような構成としたので、請求項１、２、又は３記載の発明の効果に加えて吸入装置、とりわけファンモータの回転数を外部から作業者により高速又は低速に切替可能となり該吸入装置の保護を図り本発明装置から外部へ排出する熱風量を好適に制御すると共に吸入装置の耐久性を向上させる効果がある。
【００１５】
請求項５記載の発明によれば、前記外ケースの側面に傾倒防止部材を固定したことを特徴とする請求項１、２、又は３記載の薪ストーブを提供する。
このような構成としたので、請求項１、２、又は３記載の発明の効果に加えて本発明装置の転倒防止を図り耐久性・耐震性を向上させるという効果がある。
【図面の簡単な説明】
【００１６】
【図１】本発明に係る薪ストーブに於ける実施の形態を示す正面図である。
【図２】本発明に係る薪ストーブに於いて、薪ストーブ本体部を示す斜視図である。
【図３】本発明に係る薪ストーブに於ける実施の形態を示す左側面図である。
【図４】本発明に係る薪ストーブに於ける実施の形態に於いて、その吸入装置の要部を示す斜視図である。
【図５】本発明に係る薪ストーブに於ける実施の形態に於いて、その吸入装置の高さ調整可能な構成を示す斜視図である。
【図６】本発明に係る薪ストーブに於ける実施の形態に於いて、ファンモータを駆動するための配線図である。
【図７】本発明に係る実施例として植物栽培方法を説明するために薪ストーブを収納したハウスを示す斜視図である。
【図８】本発明に係る実施例として植物栽培方法を説明するために薪ストーブ及び熱風ダクトを圃場に設置した状態を示す平面図である。
【図９】従来の技術に於ける温風ダクトの埋設配管方法を示す垂直断面図である。
【図１０】従来の技術に於ける温風ダクトの埋設配管方法を示す平面図である。
【発明を実施するための形態】
【００１７】
以下、本発明に係る薪ストーブの実施の形態について図１ないし図６に基づき詳細に説明する。
９は植物を栽培するハウス１０内に設置してある薪ストーブである。大概して薪ストーブ本体部１１と、該薪ストーブ本体部１１を収容する外枠ケース１２と、該外枠ケース１２の上面に設置する吸気装置１３と、前記薪ストーブ本体部１１で薪を燃焼して発生する燃焼ガス、排気ガス又は煙をハウス外部に排出する排気管１４とでなる。
【００１８】
ここで、前記薪ストーブ本体部１１は例えば板厚５ｍｍ程度の熱間圧延鋼板や熱間圧延縞鋼板を隅肉溶接して略矩形体でなる箱状を形成している。薪ストーブ本体部１１の一面は傾斜した前面１１ａを形成し、これに後述する左扉１１ｂ及び右扉１１ｃを配置する。そしてこの前面１１aに図２の示すように燃焼室１１ｍに燃料１１ｋとしての杉や松等の針葉樹の間伐材やその他の薪の生木を左・右扉１１ｂ、１１ｃを開放して供給するための矩形状の開口部１１ｄを有している。該開口部１１ｄは所定の大きさの熱間圧延鋼板や熱間圧延縞鋼板を額縁形状に内側を切断除去して薪ストーブ本体部１１の前面１１aに隅肉溶接している。
【００１９】
前記開口部１１ｄの外側には左・右縦端をそれぞれ２個のヒンジ１１ｉ、１１ｉで前記開口部１１ｄに対して開放・閉止自在に支持された左扉１１ｂ及び右扉１１ｃを配設している。該左扉１１ｂ及び右扉１１ｃを閉止したとき該左扉１１ｂと右扉１１ｃの突合せ部及び該左扉１１ｂと右扉１１ｃと前記開口部１１ｄの重なる部分はほぼ隙間なく閉止される。また、鋼棒を略Ｌ型に熱間又は冷間曲げ加工したハンドル１５、１５を前記左扉１１ｂ、前記右扉１１ｃに有しそのハンドル１５、１５の基端をそれぞれ左扉１１ｂ及び右扉１１ｃの下方の表面に溶接している。
【００２０】
前記左扉１１ｂ及び右扉１１ｃの略中央部には燃焼室１１ｍに空気を導入する多数の円孔を輪設してなる空気導入口１６ａを有した回転可能な円盤１６と、そしてこの回転可能な円盤１６の裏面に配設しかつ空気導入口１６ａを覆うに十分な円孔を輪設した円盤状固定空気調節板１６ｂ、１６ｂを備えている。該円盤状固定空気調節板１６ｂ、１６ｂは前記左扉１１ｂ及び右扉１１ｃに円孔を輪設することで代替することができる。回転可能な円盤１６は中心軸部材１６ｃ、１６ｃにより回転自在に装着されている。
【００２１】
また、該円盤状固定空気調節板１６ｂ、１６ｂは前記回転可能な円盤１６に穿孔された複数の空気導入口１６ａと同一形状で同一配列の円孔でなる複数の空気導入口（図示せず）を配置している。また、ハンドル１６ｄ、１６ｄの基端を前記回転可能な円盤１６、１６の外縁部に溶接している。該ハンドル１６ｄ、１６ｄ及び前記ハンドル１５、１５はその外周面を凹凸に形成した鉄筋コンクリート用鋼棒又は鉄筋コンクリート用再生鋼棒で構成すると表面が滑らないためハンドルとして好適である。
【００２２】
薪ストーブ本体部１１の上面１１ｅは鋼板で構成し上面１１eの左端から右端に向かってその中央部に略山形状又は三角状の屋根板１７を載置・固定する。この屋根板１７は上面１１eと一体に成形してもよい。屋根板１７は後述するように吸入ダクト部１３Ｂから流送された吸入空気を直接に薪ストーブ本体部１１の上面１１ｅの接触させることなく、該薪ストーブ本体部１１の左・右側面１１ｇ、１１ｈと外枠ケース１２との間に円滑に流送させる。従って外部からの冷気を該薪ストーブ本体部１１に接触させることなく該薪ストーブ本体部１１の熱伝達効率を高める。薪ストーブ本体部１１の燃焼室１１ｍには図２に示すように、燃料１１ｋを置くための棚板１８が仮想線で示す受け金具１９、１９によって薪ストーブ本体部１１の底面１１ｆから一定の高さに保持されている。
【００２３】
受け金具１９、１９は例えばＬ型鋼で成形し薪ストーブ本体部１１の左側面１１ｇと薪ストーブ本体部１１の右側面１１ｈの内壁に溶接固定する。棚板１８は全面に複数の貫通孔１８ａ、１８ａ・・・・を穿孔した有孔部材であり、該貫通孔１８ａ、１８ａ・・・・は該燃焼室１１ｍ内に於いて燃料１１ｋに必要な空気を供給すると共に、燃焼後に灰を薪ストーブ本体部１１の底面１１ｆに落とすための機能を果たす。棚板１８は既製品のパンチングメタル等の有孔部材を代用してもよい。前記棚板１８の前記貫通孔１8ａ、１８ａ・・・・の孔径より大きな燃料１１ｋは、燃焼後も棚板１８の上に残存するので、後から供給する燃料の種火として利用でき燃焼維持を容易にする効果を有する。
【００２４】
上述した排気管１４は図３に示すようにその下端が薪ストーブ本体部１１の後面１１ｊに固定配置されている排気管箱１４ａに接続され、薪ストーブ本体部１１と排気管１４を連通している。また、２０は薪ストーブ本体部１１を支持する脚であり例えば４本配置し後述する圃場３０に設置する。尚、圃場３０は菜園、植物栽培領域、農場を含むものとする。
【００２５】
前記排気管１４の中間位置には排気ガスや燃焼した煙の排出量を制御するダンパー１４ｂを介在させている。該ダンパー１４ｂは例えば黒耐熱スチールで作製し排気管１４と同一寸法を有する円筒体で形成し、その内部に調整板を備え、排気管１４の表面に配置したレバーを作業者が操作することのより該調整板の開度を制御する。
【００２６】
前記外枠ケース１２は例えば前記薪ストーブ本体部１１の外部であって、該薪ストーブ本体部１１の左側面１１ｇ及び右側面１１ｈから所定間隔を有して枠組・構築した鋼製の角材または棒材でなる枠体１２Ａにビス等の緊締部品１２ａにより固定・張合わせを行い該薪ストーブ本体部１１を被包する。該外枠ケース１２は薪ストーブ本体部１１と同材質で構成し、図１に示す前面に於いては例えば上方部を幅広長Ｌ１に下方部を幅狭長Ｌ２に設定する。該外枠ケース１２の左側面及び右側面に於いては例えば図３に示すように上方部及び下方部が同一寸法に設定する。前記外枠ケース１２の下方部はいわゆる外枠ケース１２の左・右裾部１２ｂ、１２ｂであって、この部分に熱風吐出孔２１、２１をそれぞれ形成する。
【００２７】
該熱風吐出孔２１、２１の外側周囲は筒体２１ａ、２１ａを固定しこの筒体２１ａ、２１ａに圃場に敷設される熱風ダクト２２、２２の基端部を固定する。この熱風ダクト２２、２２は必ずしも２個に限定するものではなく多数個又は単一で構成してもよい。熱風ダクト２２、２２は外枠ケース１２内から流下されかつ圃場３０に流送する部材であればよく、例えば所定の径長を有する保温フレキシブルダクト、ビニール製フレキシブルダクト、伸縮可能なアルミフレキシブルダクト、クールワイヤーフレキシブルダクト、亜鉛メッキ鋼板製フレキシブルダクト等汎用のものを採用する。
【００２８】
２３は熱風導入バルブであり、例えば図１に示すように外枠ケース１２の前面に配置・固定され外枠ケース１２内と燃焼室１１ｍ間を連通し外枠ケース１２内の熱風を必要に応じて燃焼室１１ｍへ流送する。熱風導入バルブ２３は外枠ケース１２内に挿入された第１管２３ａと、薪ストーブ本体部１１の燃焼室１１ｍ内に挿入された第２管２３ｂと、熱風量を制御するためのバルブを開閉するレバー２３ｃとで構成される。熱風導入バルブ２３は燃料１１ｋとしての薪を点火するとき及び薪の燃焼効率が悪いとき後述する送風ファンスイッチをＯＮして吸気装置１３を駆動すると共にレバー２３ｃを操作しバルブを開放し外枠ケース１２内の空気を燃焼室１１ｍに導入する。２４は燃料１１ｋが燃焼した後に発生する黒炭や焼却残留物を取出すための取出口である。
【００２９】
前記吸気装置１３は薪ストーブ本体部１１により加熱された空気を熱風として熱風ダクト２２、２２に流送する。ここで該吸気装置１３は例えば図４に示すように斜流ダクトファン部１３Ａと、該斜流ダクトファン部１３Ａに連結する吸入ダクト部１３Ｂとでなる。該斜流ダクトファン部１３Ａは鉄製であって円筒状を形成した前方ケーシング１３ａと同形状の後方ケーシング１３ｂを連結してファンモータ１３ｃを収容している。図中、１３ｄはファンモータ１３ｃの回転軸、１３ｅはファンモータ１３ｃの回転に伴い回転する回転羽根である。
【００３０】
該吸入ダクト部１３Ｂは可撓性の金属円筒体で構成されており、耐熱性、耐温性の機能を有する。従ってアルミ製又は鉄製で構成できる。図２に示すように側面から見ると略U字状に湾曲している。そして、斜流ダクトファン部１３Ａの前方ケーシング１３a及び後方ケーシング１３ｂの両側面には吊下げ金具１３ｆ、１３ｆを固定し、この吊下げ金具１３ｆ、１３ｆに支持棒１３ｇ、１３ｇをそれぞれ係止する。該支持棒１３ｇ、１３ｇの基端はそれぞれ金属製枠台１３ｈに固定している。
【００３１】
金属製枠台１３ｈは図１から分かるように薪ストーブ９の正面方向の外枠ケース１２の上面１２ｃに固定しているがこれに限定されず、薪ストーブ９の左側面方向又は右側面方向若しくは背面方向の外枠ケース１２の上面１２ｃに設置してもよい。そして例えば金属性枠台１３ｈの上部が略矩形状の中空枠体１３ｉと側面形状が略Ｌ字状の脚部１３ｊとで構成され、図３に示す１３ｋは端子カバーであり、ファンモータ１３ｃの端子を収容し、外部、つまり外枠ケース１２の側面部に設置したモータ駆動用スイッチ２５に電力線２６により接続されている。該モータ駆動用スイッチ２５はＡＣ電源２９に接続しており図６に示す配線図から分かるようにファンモータ１３ｃの回転力や回転数を制御するために第１スイッチ２５ａ及び第２スイッチ２５ｂで構成されている。第１スイッチ２５ａは例えばファンモータ１３ｃを高速回転させる場合ＯＮする。また、第２スイッチ２５ｂは例えばファンモータ１３ｃを低速回転させる場合ＯＮする。従って該第１スイッチ２５ａ及び第２スイッチ２５ｂはそれぞれ電力線２６、２６を介してファンモータ第１及び第２端子１３ｃ１、１３ｃ２に接続している。１３ｃ３は共通端子であり、ＡＣ電源２９に接続している。当該モータ駆動用スイッチ２５を操作することによりファンモータ１３ｃを駆動・制御する。
【００３２】
前記金属製枠台１３ｈの脚部１３ｊは図５に示すように例えば略縦溝状又は長楕円状の調整用孔１３ｎを穿孔すると共にこれに係止・固定する高さ調整用緊締部品１２ｄ、すなわちボルト及びナットを前記外枠ケース１２の前面又は左・右側面１２ｅ、１２ｆに固定している。そして前記斜流ダクトファン部１３Ａの高さを調整し吸入空気の取入れ方向を制御する。１３ｍは前方ケーシング１３ａの前面に設置したメッシュであり外部からの塵埃侵入防止を図りファンモータ１３ｃの回転を良好に保持する。２８は外枠ケース１２の左又は右側面１２ｅ、１２ｆのいずれか一方に固定した傾倒防止材である。これにより本発明装置の転倒防止を図り耐久性・耐震性を向上させるという効果がある。
【００３３】
また、モータ駆動用スイッチ２５の隣接位置には図３に示すように温度調節器２７を設置しファンモータ１３ｃの始動・停止を司っている。該温度調節器２７はケース２７ａと、ケース２７ａの表面に付設したダイヤル式温度設定部２７ｂと、図６に示すように該ケース２７ａに内蔵したサーモスイッチ２７ｃと、該サーモスイッチ２７ｃに接続され前記屋根板１７の表面に固設したサーモセンサ２７ｄとでなる。サーモセンサ２７ｄは図１に示すように前記屋根板１７と同材質で形成されその表面に固着した小円筒体１７ａに挿置されている。そして、前記屋根板１７の温度が設定温度例えば１５℃ないし１２６℃の範囲内で該サーモセンサ２７ｄが作動し、サーモスイッチ２７ｃをＯＮ動作し、ファンモータ１３ｃを回転駆動する。而して吸気装置１３を動作させハウス１０内の空気を斜流ダクトファン部１３Ａ、吸入ダクト部１３Ｂを経由して熱風が薪ストーブ本体部１１と外枠ケース１２とのスペースＳ内に一方から矢印Ａ、Ｂ、Ｃ方向に、他方から矢印Ｄ、Ｅ、Ｆ方向のそれぞれ流過し、薪ストーブ９の外部に排出される。
尚、図中２９はＡＣ電源であり例えば各家庭に設置したＡＣコンセントから電線を引廻し電力を取出し本発明に係る薪ストーブ９を駆動する。該ＡＣ電源２９は運搬可能なＡＣ発電機等各種の発電機で代用することができる。
【００３４】
次に、本発明に係る薪ストーブの実施の形態について動作等を説明する。
先ず作業者は燃焼室１１ｍに燃料１１ｋとしての杉や松等の針葉樹の間伐材やその他の薪の生木を左・右扉１１ｂ、１１ｃを開放して供給する。そしてハンドル１６ｄを操作し燃焼室１１ｍに空気を導入する多数の円孔を輪設してなる空気導入口１６ａの開度を制御する。回転可能な円盤１６は中心軸部材１６ｃ、１６ｃにより回転自在となり外気の流入量をコントロールする。燃料１１ｋが燃焼し該貫通孔１８ａ、１８ａ・・・・には該燃焼室１１ｍ内に於いて燃料１１ｋに必要な空気を供給すると共に、燃焼後に灰が薪ストーブ本体部１１の底面１１ｆに落下する。そこで作業者は適宜に取出口２４により燃料１１ｋが燃焼した後に発生する黒炭や焼却残留物を取出す。
【００３５】
而して、燃焼室１１ｍから薪ストーブ本体部１１の前面１１ａ、上面１１ｅ、左側面１１ｇ及び右側面１１ｈの熱エネルギーを伝達させスペースＳを含むその周囲の空気を加熱する。そして作業者がモータ駆動用スイッチ２５を例えば第１スイッチ２５ａの押しボタンを操作すればファンモータ１３ｃは高速回転する。ここでサーモセンサ２７ｄは図１に示すように前記屋根板１７と同材質で形成されその表面に固着した小円筒体１７ａに挿置されている。そして、前記屋根板１７の温度が設定温度例えば１５℃ないし１２６℃の範囲内で該サーモセンサ２７ｄが作動し、サーモスイッチ２７ｃをＯＮ動作し、ファンモータ１３ｃを回転駆動する。而して吸気装置１３を動作させハウス１０内の空気を斜流ダクトファン部１３Ａ、吸入ダクト部１３Ｂを経由して熱風が薪ストーブ本体部１１と外枠ケース１２とのスペースＳ内に一方から矢印Ａ、Ｂ、Ｃ方向に、他方から矢印Ｄ、Ｅ、Ｆ方向のそれぞれ流過し、薪ストーブ９の外部に排出される。一方、屋根板１７の温度が上記設定温度の範囲外となればサーモセンサ２７ｄが作動し、サーモスイッチ２７ｃがＯＦＦとなりファンモータ１３ｃは自動的に回転停止状態となる。而してファンモータ１３ｃは保護されると共に常に適正な熱量をもった熱風が薪ストーブ９の熱風吐出孔２１から外部に排出される。
【実施例】
【００３６】
本発明に係る植物栽培方法について図７、図８等に基づき実施例として説明する。
１０はハウスであり、具体的には植物栽培用ハウスである。該ハウス１０は各種植物を育成する圃場３０の全域又は所定の植物栽培領域に設置する。該ハウス１０は完成品として工場で製作して運搬車両により圃場３０の現場で設置する場合と、圃場３０の現場で製作・組立し圃場３０に設置する場合がある。ハウス１０は例えばビニール部材やその他樹脂材料で例えば図７に示すようにアーチ状に建屋１０ａを構成する。本発明はこれに限定されず各種の形態が可能であって上述した薪ストーブ９やＡＣ電源２９、熱風ダクト２２等が収容できる形状や構成であれば良い。
【００３７】
該建屋１０ａの周囲は所定間隔を有して例えば針鋼や丸棒鋼、鉄線等の囲撓部材１０ｂで被包・緊締する。この囲撓部材１０ｂにより建屋１０ａが風雪に耐えうるように縦方向及び横方向に囲撓・張設する。建屋１０ａの正面の開口部は作業者が出入りする出入口１０ｃであり、図７では開閉扉を省略したがこれを設置しても良い。
【００３８】
次に圃場３０への組立手順を説明すると、先ずクレーン等の運搬機（図示せず）で該クレーンの吊下げ機具を外枠ケース１２の上面に図１等で図示した係止具１２ｇ・・・に引掛けて圃場３０の現場に搬送する。而して圃場３０に於ける所定の領域に設置する。同様にＡＣ電源２９、熱風ダクト２２を搬送・配置する。ＡＣ電源２９を電力線２６を介して薪ストーブ９に接続する。そして育成栽培する植物１０ｄの種類に応じて例えば図８に示すように薪ストーブ９の熱風吐出孔２１に熱風ダクト２２を接続すると共にこの熱風ダクト２２から４本の分岐された熱風ダクト２２Ａ、２２Ｂ、２２Ｃ、２２Ｄを接続する。薪ストーブ９が作動することにより排出された熱風は熱風ダクト２２から分岐された熱風ダクト２２Ａないし２２Ｄを流送しそれぞれ熱風ダクト排出口２２ａないし２２ｄを流過し矢印Ｇ、Ｈ、Ｉ及びＪに示すように排出される。そして各種の植物を迅速かつ好適に育成・栽培することができる。この方法によれば植物１０ｄの育成・栽培期間が大幅に短縮できた。
【００３９】
尚、熱風ダクト２２Ａないし２２Ｄの所定部位に図８に示すように多数個の小孔２２ｅ群を配設し、薪ストーブ９から出る熱風をハウス１０内に万遍に行き渉らせることができる。また、本実施例は熱風ダクト２２、熱風ダクト２２Ａ及び２２Ｂを圃場１０に敷設した構成であるが、ハウス１０内側の天井部、内側面の所定部位等に吊下げる構成としてもよい。本発明は熱風ダクト２２の各種配置例を含むものである。
【産業上の利用可能性】
【００４０】
森林又は人工林から伐採した杉や松等の針葉樹の間伐材を生木の生産分野に寄与すると共に、処分が困難な前記間伐材等の木材資源を有効活用するので廃材処理分野に適用できる。また、薪ストーブを圃場に於けるハウス内に設置したハウス内植物栽培方法を提供する分野への利用可能性が高いものである。
【符号の説明】
【００４１】
９        薪ストーブ
１０      ハウス
１０ａ    建屋
１０ｂ    囲撓部材
１０ｃ    出入口
１０ｄ    植物
１１      薪ストーブ本体部
１１ａ    前面
１１ｂ    左扉
１１ｃ    右扉
１１ｄ    開口部
１１ｅ    上面
１１ｆ    底面
１１ｇ    左側面
１１ｈ    右側面
１１ｉ    ヒンジ
１１ｊ    後面
１１ｋ    燃料
１１ｍ    燃焼室
１２      外枠ケース  
１２Ａ    枠体  
１２ａ    緊締部品
１２ｂ    左・右裾部
１２ｃ    外枠ケースの上面
１２ｄ    高さ調整用緊締部品
１２ｅ    外枠ケースの左側面
１２ｆ    外枠ケースの右側面
１２ｇ    係止具
１３      吸気装置
１３Ａ    斜流ダクトファン部
１３Ｂ    吸入ダクト部
１３ａ    前方ケーシング
１３ｂ    後方ケーシング
１３ｃ    ファンモータ
１３ｃ１  ファンモータ第１端子
１３ｃ２  ファンモータ第２端子
１３ｃ３  共通端子
１３ｄ    回転軸
１３ｆ    回転羽根
１３ｆ    吊下げ金具
１３ｇ    支持棒
１３ｈ    金属製枠台
１３ｉ    金属製枠台の中空枠体
１３ｊ    金属製枠台の脚部
１３ｋ    端子カバー
１３ｍ    メッシュ
１３ｎ    調整用孔
１４      排気管  
１４ａ    排気管箱  
１４ｂ    ダンパー
１４ｃ    レバー
１５      ハンドル
１６      円盤
１６ａ    空気導入口
１６ｂ    円盤状固定空気調節板
１６ｃ    中心軸部材
１６ｄ    ハンドル
１７      屋根板
１７ａ    小円筒体
１８      棚板
１８ａ    貫通孔
１９      受け金具
２０      脚
２１      熱風吐出孔
２１ａ    筒体
２２      熱風ダクト
２２Ａ    熱風ダクト
２２Ｂ    熱風ダクト
２２Ｃ    熱風ダクト
２２Ｄ    熱風ダクト
２２ａ    熱風ダクト排出口
２２ｂ    熱風ダクト排出口
２２ｃ    熱風ダクト排出口
２２ｄ    熱風ダクト排出口
２２ｅ    小孔
２３      熱風導入バルブ
２３ａ    第１管
２３ｂ    第２管
２３ｃ    レバー
２４      取出口
２５      モータ駆動用スイッチ
２５ａ    第１スイッチ
２５ｂ    第２スイッチ
２６      電力線
２７      温度調節器
２７ａ    ケース
２７ｂ    ダイヤル式温度設定部
２７ｃ    サーモスイッチ
２７ｄ    サーモセンサ
２８      傾倒防止部材
２９      ＡＣ電源
３０      圃場
【図１】
0005325258.tif 000002
【図２】
0005325258.tif 000003
【図３】
0005325258.tif 000004
【図４】
0005325258.tif 000005
【図５】
0005325258.tif 000006
【図６】
0005325258.tif 000007
【図７】
0005325258.tif 000008
【図８】
0005325258.tif 000009
【図９】
0005325258.tif 000010
【図１０】
0005325258.tif 000011